(57)【特許請求の範囲】
【請求項１】
架空電線から引き出され、支持がいしに巻き回しされて変圧器に接続される引下げ線に取り付けられる引下げ線係止具であって、引下げ線のうち、架空電線から支持がいしまでの架空電線側と支持がいしから変圧器までの変圧器側とをそれぞれ挿通し、挿通した引下げ線に滑止される本体部と、本体部に接続されて、架空電線と本体部との間で、引下げ線の架空電線側の引下げ位置を決定する位置決定部とを備え、位置決定部は、引下げ線の架空電線側の表面に沿って当接することで、架空電線側の引下げ線に張力を作用させた状態で、架空電線と本体部との間で引下げ線の架空電線側に被嵌する溝部を有することを特徴とする引下げ線係止具。
【請求項２】
位置決定部は、本体部から突出して形成されることを特徴とする請求項１に記載の引下げ線係止具。
【請求項３】
溝部は、被嵌した引下げ線を架空電線の方向に向ける曲面部を有することを特徴とする請求項１又は２に記載の引下げ線係止具。
【請求項４】
本体部は、引下げ線を挿通した状態で、引下げ線への取付位置から摺動することを防止する摺動防止部を有することを特徴とする請求項１乃至３のいずれか一項に記載の引下げ線係止具。
【発明の詳細な説明】
【技術分野】
【０００１】
本発明は、引下げ線係止具に関し、特に、架空電線から引き出され、支持がいしに巻き回しされて変圧器に接続される引下げ線に取り付けられる引下げ線係止具に関する。
【背景技術】
【０００２】
従来、架空電線から引き出された引下げ線は、支持がいしに巻き回しされて、変圧器に接続される。引下げ線は、支持がいしに１度巻き回しされた後、架空電線から支持がいしに至るまでの間（以下、引下げ線の架空電線側とする）と、支持がいしから変圧器まで至る間（以下、引下げ線の変圧器側とする）とをバインド線で止めることにより、支持がいしに取り付けられる。引下げ線の架空電線側は、バインド線で止められた位置で、架空電線の引下げ線を引き出した位置に向けて曲げられる。
【０００３】
このように付設された引下げ線では、強風などによる架空電線の振動に応じて、引下げ線（の架空電線側）も動揺する。また、引下げ線単体でも、強風などにより揺動する。引下げ線の曲げられた位置には、揺動による応力の集中が起こる。引下げ線は、このような応力集中を長い年月受け続けることで、断線に至ってしまうことがあった。そこで、このような応力集中を防止する高圧引下げ線用保持具が知られている（例えば、特許文献１）。
【０００４】
特許文献１では、支持がいしに代わり、架空電線と引下げ線との間に、弾性的伸縮作用のある高圧線引下げ線用保持具を設けている。高圧線引下げ線用保持具は、架空電線及び引下げ線に保持され、架空電線の振動により引下げ線に作用する張力を弾性的伸縮作用により緩和している。これにより、引下げ線にかかる応力集中を防止している。
【先行技術文献】
【特許文献】
【０００５】
【特許文献１】特開２００９−２９６７２０号公報
【発明の概要】
【発明が解決しようとする課題】
【０００６】
ところで、引下げ線に張力が作用しない場合、上記のように引下げ線は風によって揺動する。引下げ線は、風によって揺動すると、周囲の金属物に接触することがあり得る。したがって、引下げ線にかかる応力集中を防止した上で、引下げ線の揺動を防止することがより好ましい。
【０００７】
本発明は、斯かる事情に鑑み、引下げ線にかかる応力集中を防止した上で、引下げ線の揺動を防止する引下げ線係止具を提供することを課題とする。
【課題を解決するための手段】
【０００８】
本発明に係る引下げ線係止具は、架空電線から引き出され、支持がいしに巻き回しされて変圧器に接続される引下げ線に取り付けられる引下げ線係止具であって、引下げ線のうち、架空電線から支持がいしまでの架空電線側と支持がいしから変圧器までの変圧器側とをそれぞれ挿通し、挿通した引下げ線に滑止される本体部と、本体部に接続されて、架空電線と本体部との間で、引下げ線の架空電線側の引下げ位置を規定する位置決定部とを備え、位置決定部は、引下げ線の架空電線側の表面に沿って当接することで、架空電線側の引下げ線に張力を作用させた状態で、架空電線と本体部との間で引下げ線の架空電線側に被嵌する溝部を有することを特徴とする。
【０００９】
本発明に係る引下げ線係止具によれば、引下げ線の架空電線側及び変圧器側のそれぞれを本体部で挿通するので、支持がいしから、引下げ線の架空電線側及び変圧器側を本体部で纏めることができる。本体部が引下げ線の変圧器側に沿って作業員により摺動されると、本体部は、引下げ線の架空電線側に張力を作用させる。本体部は、この状態で、引下げ線の架空電線側及び変圧器側に滑止される。これにより、本体部は、引下げ線の架空電線側に張力を生じさせた状態を維持することができる。これにより、引下げ線の架空電線側は、風等の外力に対して揺動せず、引下げ線が損傷することを効果的に防止できる。また、位置決定部が引下げ線の架空電線側の引下げ位置を決定するとともに、引下げ線が揺動しないことから、引下げ線が周囲に存在する金属物に接触することを効果的に防止できる。
【００１０】
また、溝部が、引下げ線の架空電線側の表面に沿って、引下げ線の架空電線側を被嵌するので、引下げ線の表面にかかる応力集中を防止できる。そして、引下げ線が溝部に被嵌されることで、引下げ線は、風等から受ける力に対して位置決定部から外れない。これにより、引下げ線係止具は、引下げ線に張力を作用させた状態を維持できるとともに、引下げ線が周囲に存在する金属物に接触することを効果的に防止できる。
【００１１】
また、本発明に係る引下げ線係止具において、位置決定部は、本体部から突出して形成されてもよい。
【００１２】
かかる構成によれば、位置決定部が本体部から突出して形成されるので、引下げ線の架空電線側が、溝部に被嵌されていることを遠方からでも容易に確認することができる。
【００１３】
また、本発明に係る引下げ線係止具において、溝部は、被嵌した引下げ線を架空電線の方向に向ける曲面部を有してもよい。
【００１４】
かかる構成によれば、本体部が引下げ線の架空電線側に張力を生じさせると、引下げ線の架空電線側は、曲面部に沿って曲げられる。そして、引下げ線の架空電線側は、架空電線に向かう方向に向けられることになるが、このとき、引下げ線の架空電線側は、曲面部から離間することで、溝部から離間することになる。これにより、引下げ線の曲げ圧力が引下げ線表面の一部に集中しない。したがって、引下げ線の損傷を効果的に防止することができる。
【００１５】
また、本発明に係る引下げ線係止具において、本体部は、引下げ線を挿通した状態で、引下げ線への取付位置から摺動することを防止する摺動防止部を有してもよい。
【００１６】
かかる構成によれば、摺動防止部が、引下げ線に対する本体部の摺動を抑止するので、引下げ線の架空電線側に張力を作用させた状態を維持することができる。
【発明の効果】
【００１７】
以上の如く、本発明に係る引下げ線係止具によれば、引下げ線にかかる応力集中を防止した上で、引下げ線の揺動を防止するというすぐれた効果を奏する。
【図面の簡単な説明】
【００１８】
【図１】本発明の一実施形態に係る引下げ線防止具を示し、図１（ａ）は、引下げ線防止具を一方からみた斜視図を示し、図１（ｂ）は、引下げ線防止具を他方からみた斜視図を示す。
【図２】同実施形態に係る引下げ線に取り付けられた引下げ線係止具を示し、図２（ａ）は、引下げ線に取り付けられた引下げ線係止具の平面図を示し、図２（ａ）は、引下げ線に取り付けられた引下げ線係止具の他の平面図を示す。
【図３】本発明の他実施形態に係る引下げ線係止具の斜視図を示す。
【図４】本発明の別実施形態に係る引下げ線係止具の斜視図を示す。
【図５】本発明のさらに別実施形態に係る引下げ線係止具の斜視図であって、複数の引下げ線のそれぞれに取り付けられた引下げ線係止具を連結した斜視図を示す。
【発明を実施するための形態】
【００１９】
以下、本発明に係る引下げ線係止具における一実施形態について、図１及び図２を参照して説明する。
【００２０】
図１（ａ）及び図１（ｂ）並びに図２（ａ）及び（ｂ）に示すように、本実施形態に係る引下げ線係止具１は、架空電線から引き出され、支持がいしに巻き回しされて変圧器に接続される引下げ線５に取り付けられる引下げ線係止具１であって、引下げ線５のうち、架空電線から支持がいしまでの架空電線側５２と支持がいしから変圧器までの変圧器側５１とをそれぞれ挿通し、挿通した引下げ線５に滑止される本体部２と、本体部２に接続されて、架空電線と本体部２との間で、引下げ線５の架空電線側５２の引下げ位置を決定する位置決定部３と、本体部２から突出して設けられ、把持可能な把持部４とを備える。
【００２１】
本体部２は、引下げ線５の架空電線側５２及び変圧器側５１をそれぞれ挿通する挿通部２０を有する。また、本体部２は、引下げ線５を挿通した状態で、引下げ線５への取付位置から摺動することを防止する摺動防止部２１０，２２０を有する。本体部２は、帯板状に形成され、長手方向一端から挿通部２０までに渡って設けられ、引下げ線５を導入可能な切り込み２４が設けられる。また、本体部２は、結合されることで引下げ線５を挿入部に挿通した状態で、切り込み２４を閉じた状態に維持するとともに、解除されることで切り込み２４を介して引下げ線５を挿通部に導入可能にする結合部２５が設けられる。本体部２は、切り込み２４を介して引下げ線５を挿通部２０に導入可能な程度の屈曲性を有し、挿通部２０に引下げ線５を挿通した後に復元する復元性を有する素材で形成されるのが好ましい。また、本体部２は、絶縁性の材料で形成されるのが好ましい。
【００２２】
挿通部２０は、本体部２の長手方向に交差する方向（本実施形態では直交する方向）で本体部２の一端から他端まで延びる貫通孔を有する。具体的に、挿通部２０は、引下げ線５の架空電線側５２を挿通する一方の貫通孔２１と、引下げ線５の変圧器側５１を挿通する他方の貫通孔２２とを有する。本実施形態において、挿通部２０は、一方の貫通孔２１と他方の貫通孔２２とを本体部２の長手方向に連設した状態で設けられる。
【００２３】
一方の貫通孔２１は、引下げ線５と同径で設けられる。一方の貫通孔２１は、引下げ線５に取り付けられた状態の本体部２の支持がいしに対向する面（以下、本体部２の上面とする）と反対の面（以下、本体部２の下面とする）側の端部で、位置決定部３に接続される。
【００２４】
他方の貫通孔２２は、一方の貫通孔２１と同様に、引下げ線５と同径で設けられる。他方の貫通孔２２は、一方の貫通孔２１の貫通方向と同方向に貫通して設けられる。他方の貫通孔２２は、一方の貫通孔２１に連設されることで、引下げ線５の架空電線側５２と変圧器側５１とのそれぞれを同方向に向けて纏めることを可能にしている。
【００２５】
摺動防止部２１０，２２０は、一方の貫通孔２１及び他方の貫通孔２２のうち、引下げ線５に当接する位置に設けられる。すなわち、摺動防止部２１０，２２０は、一方の貫通孔２１及び他方の貫通孔２２の内周面に沿って設けられる。摺動防止部２１０，２２０は、例えばゴム等の摩擦係数の高い材料で形成される。これにより、摺動防止部２１０，２２０は、風等による引下げ線５の架空電線側５２の張力の変化に応じた、本体部２の引下げ線５の表面の摺動を防止することができる。
【００２６】
位置決定部３は、絶縁性の材料で形成される。位置決定部３は、挿通部２０に挿通された引下げ線５の架空電線側５２を、架空電線に向けるべく設けられる。位置決定部３は、本体部２の長手方向他端に接続されて設けられる。位置決定部３は、引下げ線５の架空電線側５２を接した状態で保持可能な幅で構成される。本実施形態において、張力差用部は、帯板状に形成され、本体部２と同じ幅で構成される。また、本実施形態において、位置決定部３は、本体部２から突出して形成される。具体的に、位置決定部３は、本体部２の下面側の長手方向他端部から、本体部２の長手方向に突出して形成される。位置決定部３は、架空電線側５２の引下げ線５の表面に沿って当接することで、架空電線側５２の引下げ線５に張力を作用させた状態で、架空電線と本体部２との間で引下げ線５の架空電線側５２を被嵌する溝部３１を有する。
【００２７】
溝部３１は、引下げ線５に本体部２を取り付けた状態で、位置決定部３の支持がいしに対向する面（以下、位置決定部３の上面とする）とは反対側の面（以下、位置決定部３の下面とする）に設けられる。溝部３１は、引下げ線５の架空電線側５２を架空電線に向ける方向に延伸されて構成される。すなわち、本実施形態において、溝部３１は、位置決定部３の本体部２からの突出方向に沿う方向に延びて形成される。そして、溝部３１は、その一端側で一方の貫通孔２１に繋がる。溝部３１は、一方の貫通孔２１の軸方向に交差する方向で一方の貫通孔２１に接続される。溝部３１は、引下げ線５と同径で構成され、引下げ線５の周方向の半分以上に当接すべく、引下げ線５の径よりも大きい深さを有する。すなわち、溝部３１は、位置決定部３の下面から、引下げ線５の径よりも大きく窪んで形成される。
【００２８】
また、溝部３１は、被嵌した引下げ線５を架空電線の方向に向ける曲面部３１０を有する。曲面部３１０は、溝部３１と同じ幅で形成される。本実施形態において、曲面部３１０は、位置決定部３の長手方向他端、すなわち、溝部３１の他端側に形成される。そして、曲面部３１０は、位置決定部３の長手方向他端縁に沿って溝部３１を延伸して形成される。具体的に、曲面部３１０は、本体部２を引下げ線５に取り付けた状態で、位置決定部３の長手方向他端縁に沿って、位置決定部３の支持がいしに対向する面に向かう方向に湾曲して形成される。これにより、曲面部３１０は、溝部３１に沿って被嵌された引下げ線５を架空電線の方向に向けることができるとともに、架空電線の表面にかかる曲げ応力を分散させることができる。なお、曲面部３１０は、溝部３１の一端側で、一方の貫通孔２１と接続する位置にも設けられてよい。このとき、曲面部３１０は、本体部２を引下げ線５に取り付けた状態で、溝部３１の底を支持がいしに向かう方向に向けるように湾曲して形成される。
【００２９】
把持部４は、絶縁性の材料で形成される。把持部４は、本体部２の長手方向一端から突出して設けられる。把持部４は、引下げ線５に本体部２を取り付けた状態で、本体部２を引下げ線５に沿って移動可能とすべく設けられる。そのため、把持部４は、間接活線工法において、ヤットコ等の間接活線工具により把持可能な程度の大きさで設けられるのが好ましい。
【００３０】
本実施形態に係る引下げ線係止具１の構成については以上の通りであり、次に、本実施形態に係る引下げ線係止具１の作用について説明する。
【００３１】
図２（ａ）及び（ｂ）に示すように、引下げ線係止具１は、既に付設された引下げ線５に取り付けられる。具体的に、引下げ線係止具１は、結合部２５の結合を解除した状態で、切り込み２４から引下げ線５の架空電線側５２を一方の貫通孔２１に導入する。その後、引下げ線係止具１は、切り込み２４から引下げ線５の変圧器側５１を他方の貫通孔２２に導入する。これにより、本体部２は、引下げ線５の架空電線側５２及び変圧器側５１を挿通部２０に挿通した状態になる。
【００３２】
そして、結合部２５の結合がされることで、引下げ線係止具１は、引下げ線５に取り付けられた状態になる。引下げ線５の架空電線側５２は、支持がいしから本体部２の一方の貫通孔２１を通って、架空電線に向かう方向に湾曲して架空電線に接続される状態になる。引下げ線５の変圧器側５１は、支持がいしから本体部２の他方の貫通孔２２を通って直線状に延びて、変圧器に接続される。この状態では、引下げ線５の架空電線側５２は、未だ張力を有しておらず、位置決定部３の溝部３１に被嵌されていない。
【００３３】
図２（ａ）及び（ｂ）に示すように、引下げ線係止具１は、引下げ線５に取り付けられた状態で、把持部４を把持して引下げ線５に沿って移動される。引下げ線係止具１が支持がいしから離れる方向に移動されることで、引下げ線５の架空電線側５２のうち、架空電線及び本体部２の間に存在する引下げ線５は短くなる。このとき、溝部３１は、引下げ線５の架空電線側５２の表面に当接するように位置される。
【００３４】
この状態で、本体部２は、挿通部２０に挿通された引下げ線５の架空電線側５２又は変圧器側５１の軸を中心に回動可能である。本体部２が引下げ線５の架空電線側５２又は変圧器側５１の軸を中心に回動されることで、位置決定部３も同様に回動される。溝部３１も位置決定部３と同様に回動することで、当接している引下げ線５の架空電線側５２も回動する。摺動防止部２１０，２２０は、引下げ線５に対する摺動を防止することから、引下げ線５の架空電線側５２の決定された引下げ位置まで回動されて停止されることで、位置決定部３は、引下げ線５の架空電線側５２の引下げ位置を決定する。
【００３５】
そして、引下げ線係止具１が、引下げ線５の架空電線側５２に十分な張力を作用する程に移動することで、溝部３１は、引下げ線５の架空電線側５２の表面に当接して引下げ線５を被嵌する。摺動防止部２２０，２２１は、この状態で本体部２を引下げ線５に対して滑止するので、引下げ線５の架空電線側５２を張力を有する状態に維持する。また、溝部３１が引下げ線５の周面の半分以上を被嵌することから、引下げ線５が一方の貫通孔２１の軸周り方向に移動して溝部３１から外れることがない。
【００３６】
図２（ａ）及び（ｂ）に示すように、支持がいしから本体部２までの距離は、引下げ線５の架空電線側５２の長さに依存する。引下げ線５に沿って本体部２を摺動させることができるので、引下げ線５の架空線側５２の長さに関わらず、引下げ線５の架空線側５２に張力を作用させた状態で引下げ線係止具１を引下げ線５に取り付けることができる。
【００３７】
以上より、本実施形態に係る引下げ線係止具１は、架空電線から引き出され、支持がいしに巻き回しされて変圧器に接続される引下げ線５に取り付けられる引下げ線係止具１であって、引下げ線５のうち、架空電線から支持がいしまでの架空電線側５２と支持がいしから変圧器までの変圧器側５１とをそれぞれ挿通し、挿通した引下げ線５に滑止される本体部２と、本体部２に接続されて、架空電線と本体部２との間で、引下げ線５の架空電線側５２の引下げ位置を規定する位置決定部３とを備え、位置決定部３は、架空電線側５２の引下げ線５の表面に沿って当接することで、架空電線側５２の引下げ線５に張力を作用させた状態で架空電線と本体部２との間で引下げ線５の架空電線側５２に被嵌する溝部３１を有する。
【００３８】
かかる構成によれば、引下げ線５の架空電線側５２及び変圧器側５１のそれぞれを本体部２で挿通するので、支持がいしから、引下げ線５の架空電線側５２及び変圧器側５１を本体部２で纏めることができる。本体部２が引下げ線５の変圧器側５１に沿って作業員により摺動されると、本体部２は、引下げ線５の架空電線側５２に張力を作用させる。本体部２は、この状態で、引下げ線５の架空電線側５２及び変圧器側５１に滑止される。これにより、本体部２は、引下げ線５の架空電線側５２に張力を生じさせた状態を維持することができる。これにより、引下げ線５の架空電線側５２は、風等の外力に対して揺動せず、引下げ線５が損傷することを効果的に防止できる。また、位置決定部３が引下げ線５の架空電線側５２の引下げ位置を決定するとともに、引下げ線５が揺動しないことから、引下げ線５が周囲に存在する金属物に接触することを効果的に防止できる。
【００３９】
また、溝部３１が、引下げ線５の架空電線側５２の表面に沿って、引下げ線５の架空電線側５２を被嵌するので、引下げ線５の表面にかかる応力集中を防止できる。そして、引下げ線５が溝部３１に被嵌されることで、引下げ線５は、風等から受ける力に対して位置決定部３から外れない。これにより、引下げ線係止具１は、引下げ線５に張力を作用させた状態を維持できるとともに、引下げ線５が周囲に存在する金属物に接触することを効果的に防止できる。
【００４０】
また、本実施形態に係る引下げ線係止具１において、位置決定部３は、本体部２から突出して形成される。
【００４１】
かかる構成によれば、位置決定部３が本体部２から突出して形成されるので、引下げ線５の高圧線側が、溝部３１に被嵌されていることを遠方からでも容易に確認することができる。
【００４２】
また、本実施形態に係る引下げ線係止具１において、溝部３１は、被嵌した引下げ線５を架空電線の方向に向ける曲面部３１０を有する。
【００４３】
かかる構成によれば、引下げ線５の架空電線側５２に張力が作用される状態にされると、引下げ線５の架空電線側５２は、曲面部３１０に沿って曲げられる。そして、引下げ線５の架空電線側５２は、架空電線に向かう方向に向けられることになるが、このとき、引下げ線５の架空電線側５２は、曲面部３１０から離間することで、溝部３１から離間することになる。これにより、引下げ線５の曲げ圧力が引下げ線５の表面の一部に集中しない。したがって、引下げ線５の損傷を効果的に防止することができる。
【００４４】
また、本実施形態に係る引下げ線係止具１において、本体部２は、引下げ線５を挿通した状態で、引下げ線５への取付位置から摺動することを防止する摺動防止部２１０，２２０を有する。
【００４５】
かかる構成によれば、摺動防止部２１０，２２０が、引下げ線５に対する本体部２の摺動を抑止するので、引下げ線５の架空電線側５２に張力を作用させた状態を維持することができる。
【００４６】
なお、本発明に係る引下げ線係止具１は、上記した実施の形態に限定されるものではなく、本発明の要旨を逸脱しない範囲内において種々変更を加え得ることは勿論である。また、下記する各種の変更例に係る構成や方法等を任意に選択して、上記した実施形態に係る構成や方法等に採用してもよいことは勿論である。
【００４７】
例えば、本実施形態に係る引下げ線係止具１おいては、図３に示すように、位置決定部３を、本体部２の幅方向に回動可能な構成としてもよい。位置決定部３は、本体部２の長手方向他端に枢結され、一方の貫通孔２１の軸方向に平行な方向であって軸として回動する。これにより、溝部３１の延伸方向も、一方の貫通孔２１の軸方向に平行な方向を軸として回動する。そして、本体部２は、本体部２に対する位置決定部３の任意の回動位置において、本体部２及び位置決定部３を固定する図示しない固定部を有していてもよい。図示しない固定部は、例えば、本体部２から位置決定部３に挿入される楔であってよい。このような構成にすることで、引下げ線５の架空電線側５２を、架空電線から引下げ線５を引き出す引き出し位置の方向に向けることができる。これにより、溝部３１表面から引下げ線５の架空電線側５２表面にかかる応力をより分散させることができる。
【００４８】
また、上記実施形態に係る引下げ線係止具１においては、図４に示すように、溝部３１の深さ、すなわち、位置決定部３の下面から溝部３１の底までの深さをより深くすることができる。これにより、溝部３１は、引下げ線５の揺動に関わらず、確実に引下げ線５を被嵌することができる。
【００４９】
また、上記実施形態に係る引下げ線係止具１においては、図５に示すように、複数の引下げ線係止具１を接合可能な構成であってもよい。引下げ線５は、交流三相のそれぞれに設けられることから、３本並設されることが多い。そして、３本の引下げ線５のそれぞれは、架空電線の位置及び引出し位置の違いにより架空電線側５２の長さが異なる。そこで、３つの引下げ線係止具１のそれぞれは、引下げ線５の架空電線側５２それぞれの長さに応じて取り付けられる。引下げ線係止具１は、本体部２の長手方向及び引下げ線５の貫通する方向に直交する面のそれぞれに連結部６を設け、連結部６を伸縮可能かつ引下げ線５の揺動による力では伸縮しない剛性のある棒状部材７で連結する。これにより、３つの引下げ線５の架空電線側５２のそれぞれが、３つの引下げ線係止具１により連係して張力を作用した状態で強固に維持される。
【００５０】
また、上記実施形態に係る引下げ線係止具１において、位置決定部３は、本体部２の長手方向他端から突出しているが、本体部２の長手方向他端縁を位置決定部３としてもよい。また、本体部２を球形状として、本体部２の表面に溝を形成することで、位置決定部３としてもよい。このような構成であっても、引下げ線５の架空電線側５２に張力を作用させて被嵌することができる。
【符号の説明】
【００５１】
１…引下げ線係止具、２…本体部、３…位置決定部、４…把持部、５…引下げ線、６…連結部、７…棒状部材、２０…挿通部、２１…一方の貫通孔、２２…他方の貫通孔、２４…切り込み、２５…結合部、３１…溝部、５１…引下げ線の変圧器側、５２…引下げ線の架空電線側、２１０，２２０…摺動防止部、３１０…曲面部
【要約】
【課題】  引下げ線の揺動を防止するとともに、引下げ線にかかる応力集中を防止する引下げ線係止具を提供する。
【解決手段】  架空電線から引き出され、支持がいしに巻き回しされて変圧器に接続される引下げ線に取り付けられる引下げ線係止具であって、引下げ線のうち、架空電線から支持がいしに至るまでの架空電線側と支持がいしから変圧器に至るまでの変圧器側とをそれぞれ挿通する本体部と、本体部に接続されて、架空電線と本体部との間で、引下げ線の架空電線側に張力を作用させる位置決定部とを備え、位置決定部は、架空電線側の引下げ線の表面に当接することで、架空電線側の引下げ線に張力を作用させた状態で、架空電線と本体部との間で引下げ線の架空電線側を係止する溝部を有することを特徴とする。
【選択図】  図１【図１】
0005405644.tif 000002
【図２】
0005405644.tif 000003
【図３】
0005405644.tif 000004
【図４】
0005405644.tif 000005
【図５】
0005405644.tif 000006